(57)【要約】【課題】再封性及び再開封性に優れ、使い勝手が良い包装体を提供する。【解決手段】実施形態の一例である包装体１０は、物品１００を収容する収容部２１を形成する前方シート２０と、前方シート２０に接合された後方シート２５とで構成される本体部１１と、後方シート２５で構成され、本体部１１の一端から延設された舌片部１２とを備える。後方シート２５は、収容部２１の開口２３に対応する位置において、横方向の一方側に切除可能に設けられた開封部３０と、横方向の他方側に設けられ、開封部３０が切除された開封状態において本体部１１の一端で折り曲げられた舌片部１２と係合できる張り出し部３５とを有する。開封部３０は、上下方向両端のいずれか一方に、横方向他方側に長く形成された切込み形成予定部３１を含む。【選択図】図１
2018034834.tif 000002
【特許請求の範囲】
【請求項１】
物品を収容する収容部を形成する前方シートと、前記前方シートに接合された後方シートと、で構成される本体部と、
前記各シートの一方又は両方で構成され、前記本体部の一端から延設された舌片部と、
を備えた包装体であって、
前記後方シートは、前記収容部の開口に対応する位置において、
前記本体部と前記舌片部が並ぶ方向である第１方向の一方側に、切除可能に設けられた開封部と、
前記第１方向の他方側に設けられ、前記開封部が切除された開封状態において前記本体部の一端で折り曲げられた前記舌片部と係合できる張り出し部と、
を有し、
前記開封部は、前記第１方向と直交する第２方向両端のいずれか一方に、第１方向他方側に長く形成された切込み形成予定部を含む、包装体。
【請求項２】
前記切込み形成予定部の第１方向長さは、前記張り出し部の第１方向長さの５０％以上である、請求項１に記載の包装体。
【請求項３】
前記切込み形成予定部の第１方向他端は、前記開口の第１方向他端に達する、請求項２に記載の包装体。
【請求項４】
前記張り出し部の第１方向長さは、前記開口の第１方向長さの４０％〜６０％である、請求項１〜３のいずれか１項に記載の包装体。
【請求項５】
前記張り出し部は、第１方向一端部の一部が前記第１方向一方側に突出して設けられた凸状部を有し、
当該凸状部は、前記開封状態において折り曲げられた前記舌片部と係合できるように形成されている、請求項１〜４のいずれか１項に記載の包装体。
【請求項６】
前記開封部は、前記第２方向一方側に形成された前記切込み形成予定部を含み、
前記張り出し部は、前記第２方向他方側において、前記開封状態において折り曲げられた前記舌片部と重なるように設けられている、請求項１〜５のいずれか１項に記載の包装体。
【発明の詳細な説明】
【技術分野】
【０００１】
本発明は、包装体に関し、より詳しくは再封機能を有する包装体に関する。
【背景技術】
【０００２】
従来、物品を収容する収容部を形成する前方シートと、収容部の開口を塞ぐ後方シートとで構成される包装体が知られている。例えば、前方シートに硬質のプラスチックシートを用い、後方シートに台紙を用いた包装体は、一般的にブリスターパックと呼ばれる。かかるブリスターパックの収容部から物品を取り出す際には、通常、収容部の開口を塞ぐ台紙をプラスチックシートから剥離する。台紙を剥離することで、収容部の開口が開放され、収容部から物品を取り出すことが可能となる。
【０００３】
ブリスターパック等の包装体には、台紙を剥離して開封した後、再び収容部の開口を塞ぐことが可能な再封機能が要求される場合がある。例えば、特許文献１には、再封機能を有する包装体が開示されている。特許文献１には、板上部を裂開蓋上に折り畳むことで、板上部によって裂開蓋が被覆され閉鎖位置に保たれる再封形態が記載されている。
【先行技術文献】
【特許文献】
【０００４】
【特許文献１】実公昭４２−９３６０号公報
【発明の概要】
【発明が解決しようとする課題】
【０００５】
ところで、再封機能を有する包装体としては、収容部の再封が可能というだけではなく、再封／再開封操作が容易で、使い勝手が良いものが求められる。例えば、携帯用の包装体では、片手で再封状態を容易に解除して収容部から物品を簡単に取り出すことができると共に、片手で収容部を容易に再封できることが望ましい。しかし、特許文献１の包装体では、例えば板上部を開いた後、裂開蓋を引き起こすといった面倒な再開封操作を余儀なくされ、片手での操作は困難である。
【０００６】
特許文献１の技術を含む従来の技術は、再封性及び再開封性の少なくとも一方について未だ改良の余地がある。本発明の目的は、再封性及び再開封性に優れ、使い勝手が良い包装体を提供することである。
【課題を解決するための手段】
【０００７】
本発明の包装体は、物品を収容する収容部を形成する前方シートと、前記前方シートに接合された後方シートとで構成される本体部と、前記各シートの一方又は両方で構成され、前記本体部の一端から延設された舌片部とを備えた包装体であって、前記後方シートは、前記収容部の開口に対応する位置において、前記本体部と前記舌片部が並ぶ方向である第１方向の一方側に、切除可能に設けられた開封部と、前記第１方向の他方側に設けられ、前記開封部が切除された開封状態において前記本体部の一端で折り曲げられた前記舌片部と係合できる張り出し部と、を有し、前記開封部は、前記第１方向と直交する第２方向両端のいずれか一方に、第１方向他方側に長く形成された切込み形成予定部を含むことを特徴とする。
【発明の効果】
【０００８】
本発明の包装体は、再封性及び再開封性に優れ、使い勝手が良い。本発明の包装体は、後方シートの開封部を切除することにより開封されるが、舌片部を後方に折り曲げ、張り出し部に係合させることで開封により開放された収容部の開口を再封できる。そして、張り出し部を前方に押すという簡単な操作で、張り出し部を舌片部から外すことができ、収容部が再開封される。
【０００９】
本発明の包装体では、開封部の切除により切込み形成予定部に切込みが形成される。切込みは、後方シートの収容部の開口に対応する部分（以下、「蓋部」という場合がある）の第２方向両端のいずれか一方において、収容部の開口端と張り出し部との間に形成され、張り出し部と、開口の周囲に位置する後方シートの他の部分とを分離する。かかる切込みによって、張り出し部が前方に撓み易くなり、小さな力で張り出し部を大きく撓ませることができる。このため、舌片部を引っ張り上げるような操作は不要であり、張り出し部を軽く押すだけで舌片部に係合する張り出し部を舌片部から外すことができ、片手で再封状態を容易に解除することが可能である。
【００１０】
他方、切込みは蓋部の第２方向両端部いずれか一方のみに形成され、他方側の第２方向端部では張り出し部と開口の周囲に位置する後方シートの他の部分とが連接しているため、張り出し部には適度なバネ性が付与される。このため、本発明の包装体によれば、既に折り曲げられている舌片部を前方に押すという簡単な操作で、２度目以降の再封を行うことができる。舌片部を前方に押すと、舌片部の端部が張り出し部に当たって張り出し部がある程度撓んだ後、舌片部が張り出し部を超えて張り出し部に係合される。適度なバネ性が付与された張り出し部は、ある程度撓んだときに後方に跳ね上がって舌片部の後方に移動するので、舌片部を大きく押さなくても舌片部が張り出し部に係合する。本発明の包装体では、片手で収容部を容易に再封することが可能である。つまり、蓋部の第２方向両端部のいずれか一方のみが切り込まれ、他方は張り出し部と開口の周囲に位置する部分とが連接した構造とすることによって、適度なバネ性を張り出し部に付与することができ、再封／再開封操作が容易な包装体を得ることができる。
【図面の簡単な説明】
【００１１】
【図１】実施形態の一例である包装体の斜視図である。
【図２】実施形態の一例である包装体の背面図である。
【図３】図２のＡＡ線断面図である。
【図４】図２において、包装体の上部を拡大して示す図である。
【図５】切込みの他の一例を示す図である。
【図６】実施形態の一例である包装体の開封形態を示す図である。
【図７】実施形態の一例である包装体の再封形態を示す図である。
【図８】舌片部をヘッダー部とした形態を示す図である。
【図９Ａ】実施形態の一例である包装体の使用方法を説明するための図である。
【図９Ｂ】実施形態の一例である包装体の使用方法を説明するための図である。
【図９Ｃ】実施形態の一例である包装体の使用方法を説明するための図である。
【図１０】実施形態の他の一例である包装体の斜視図である。
【図１１】実施形態の他の一例である包装体の斜視図である。
【図１２】実施形態の他の一例である包装体の背面図である。
【図１３】図１２の包装体の再封形態を示す図である。
【図１４】実施形態の他の一例である包装体の再封形態を示す図である。
【発明を実施するための形態】
【００１２】
以下、図面を参照しながら、実施形態の一例について詳細に説明する。但し、本発明の包装体は、以下で説明する実施形態に限定されない。実施形態の説明で参照する図面は模式的に記載されたものであり、図面に描画された構成要素の寸法などは以下の説明を参酌して判断されるべきである。
【００１３】
本明細書において、前後の用語は、前方シートと後方シートの相対的な位置関係を示すために使用する。一般的に、本発明の包装体は、前方シートの収容部が消費者から見えるように、商品棚、吊り下げフック等に陳列されるが、販売時の陳列形態はこれに限定されない。実施形態（図８に例示する形態を除く）では、包装体の本体部と舌片部が並ぶ方向である第１方向を「横方向（又は左右）」、第１方向に直交する第２方向を「上下方向」とし、吊り下げ孔が形成された部分を包装体の「上部」として説明する。なお、本発明の包装体は、本体部と舌片部が並ぶ第１方向が上下方向となる形態、即ち舌片部が所謂ヘッダー部となる形態であってもよい（図８参照）。
【００１４】
図１は実施形態の一例である包装体１０の斜視図、図２は包装体１０の背面図である。図３は、図２のＡＡ線断面図である。図１〜図３に例示するように、包装体１０は、本体部１１と、本体部１１の一端から延設された舌片部１２とを備える。本体部１１は、被包装物である物品１００を収容する収容部２１を形成する前方シート２０と、前方シート２０に接合された後方シート２５とで構成される。舌片部１２は、前方シート２０のみで、又は各シートの両方で構成されてもよいが、本実施形態では後方シート２５のみで構成されている。
【００１５】
包装体１０の開封、再封に関わる構成は、後方シート２５に設けられる。後方シート２５は、収容部２１の開口２３に対応する位置において、横方向一方側に、切除可能に形成された開封部３０と、横方向他方側に設けられ、開封部３０が切除された開封状態において本体部１１の一端で折り曲げられた舌片部１２と係合できる張り出し部３５とを有する。そして、開封部３０は、上下方向両端（上端及び下端）のいずれか一方に、横方向他方側に長く形成された切込み形成予定部３１を含む。包装体１０（収容部２１）は、開封部３０を切除することにより開封される。張り出し部３５は、開封部３０が切除された開封状態においても収容部２１の開口２３の横方向他方側を塞ぐ部分である。包装体１０では、開封部３０の上端のみに切込み形成予定部３１が形成されているが、切込み形成予定部は開封部の下端のみに形成されてもよい。
【００１６】
張り出し部３５は、横方向一端部の一部が横方向一方側に突出して設けられた凸状部３６を有することが好ましい。凸状部３６は、開封状態において折り曲げられた舌片部１２と係合できるように形成されている。包装体１０では、再封形態において、張り出し部３５の凸状部３６のみが舌片部１２と係合する（後述の図７参照）。
【００１７】
包装体１０には、本体部１１と舌片部１２が並ぶ方向である第１方向（横方向）と直交する第２方向（上下方向）に沿って、本体部１１の一端、即ち本体部１１と舌片部１２との境界に折り目線１３が形成されることが好ましい。この場合、言い換えると、折り目線１３によって本体部１１と舌片部１２が区分けされる。本体部１１及び舌片部１２には、商品名、製造者名、商品説明、使用方法、キャッチコピー、イラスト等の印刷が設けられる。包装体１０は、本体部１１のみから構成される包装体と比べて、舌片部１２を有する分、印刷面積を大きくとることができる。さらに、舌片部１２は、収容部２１を再封する際に、折り目線１３で後方に折り曲げられ、開封により開放された開口２３の一部を塞ぐ蓋部として機能する。
【００１８】
包装体１０は、上下方向よりも横方向にやや長い正面視略矩形形状を有する。本体部１１と舌片部１２の上下方向長さは、互いに同じである。他方、本体部１１の横方向長さは、舌片部１２の横方向長さよりも長い。包装体１０の形状は特に限定されないが、舌片部１２の横方向長さは、再封機能等を考慮して、例えば本体部１１の横方向長さの３０％〜７０％、又は４０％〜６０％とされる。本体部１１と舌片部１２の境界部には、折り目線１３に沿った後方シート２５の折り曲げを容易にすべく、折り目線１３を上下から挟むように正面視略三角形状の切欠き１５が２つ形成されている。
【００１９】
包装体１０は、本体部１１の上部であって収容部２１よりも上方に形成された吊り下げ孔１４を備える。吊り下げ孔１４は、例えば吊り下げフック等に包装体１０を引っ掛けるための貫通孔である。本実施形態では、本体部１１を構成する前方シート２０が後方シート２５より小さく、後方シート２５のみに吊り下げ孔１４が形成されている。吊り下げ孔１４は、吊り下げ安定性を考慮して、本体部１１の横方向中央よりやや舌片部１２寄りに形成される。吊り下げ孔１４の形状は、例えば真円形状であるが、横方向に長い長孔形状等であってもよい。
【００２０】
収容部２１に収容される物品１００は特に限定されないが、包装体１０は、一度に全て使い切ることのないものの包装に適している。例えば、包装体１０に収容される物品１００は、１個ずつ使用する複数個の物品でもよいし、使用に際して小量ずつ使用される物品（例えば、切り分けて使用される湿布シート等）でもよい。また、物品１００は、繰り返し使用され、使用後に包装体１０に収容される物品でもよい。以下では、物品１００として、１回分ずつ分包された薬剤等の個別包装体を例に挙げて説明する。包装体１０の収容部２１には、複数の物品１００が収容されている。物品１００は、例えば正面視矩形形状のピロー包装体である。
【００２１】
前方シート２０は、上述のように、物品１００を収容する収容部２１を形成するシートである。前方シート２０は、本体部１１を構成する後方シート２５よりも一回り小さく、前方シート２０の上端は後方シート２５の上端より下方に位置する。また、前方シート２０の横方向一端は、折り目線１３が形成される本体部１１の横方向一端よりも横方向他端側に位置する。他方、各シートの横方向他端及び下端の位置は、互いに一致している。
【００２２】
収容部２１は、前方シート２０が前方に膨出して形成され、後方に向かって開口している。収容部２１は、後方から見ると、前方に窪んだ凹部であって、当該凹部には複数の物品１００が収容される。そして、収容部２１の開口２３は、前方シート２０の後側に接合される後方シート２５によって塞がれる。収容部２１は、例えば後述のプラスチックシートの真空成形、圧空成形等、公知の処方により形成される。
【００２３】
収容部２１では、後方シート２５と対向する前面２１ｓが略平坦であり、横方向両側の側面２１ｃ，２１ｄは前面２１ｓに対して略垂直に形成されている。収容部２１の上端面２１ａは、前面２１ｓに対して垂直に形成されていてもよいが、好ましくは前面２１ｓと上端面２１ａとが収容部２１の内側に対してなす角度が鈍角である傾斜面とする。当該角度は、例えば１００°〜１４５°である。上端面２１ａを傾斜面とすることにより、物品１００を指で摘まなくても、傾斜面に沿って滑らせて物品１００を取り出すことができる（後述の図８Ｃ参照）。
【００２４】
前方シート２０は、プラスチックシートから構成され、収容部２１に収容される物品１００が前方から視認できるようになっている。前方シート２０を構成するプラスチックシートには、例えば、ポリエチレンテレフタレート（ＰＥＴ）等のポリエステルを主成分とする硬質で熱成形可能な無色透明のシートが用いられる。好適なプラスチックシートの一例は、非延伸の非結晶性ポリエステルシート（Ａ−ＰＥＴ）であるが、前方シート２０には、ポリプロピレン、ポリ塩化ビニル、ポリスチレン等からなる単層又は多層のプラスチックシートを適用してもよい。前方シート２０の厚みは、例えば０．１ｍｍ〜１．０ｍｍ、好ましくは０．２ｍｍ〜０．５ｍｍである。
【００２５】
前方シート２０には、開口２３の上下、左右に張り出した平坦なフランジ部２２が形成されている。フランジ部２２は、後方シート２５を貼着する際の糊代として機能する。また、前方シート２０には、収容部２１に連設された２つの脚部２４が形成されている。各脚部２４は、収容部２１の横方向両端部から下方に延び、本体部１１の下端又はその近傍にわたって形成される。包装体１０は、脚部２４を鉛直下方に向けて平坦な面上に置いたときに、脚部２４の機能によって本体部１１及び舌片部１２が鉛直方向に略沿った状態で自立する。
【００２６】
各脚部２４は、前方シート２０が前方に膨出して形成され、収容部２１に連設されているが、各脚部２４には物品１００が収容されないため、各脚部２４は収容部２１を構成しないものとする。このため、各脚部２４の間に位置する部分が、開口２３の下端となる。
【００２７】
後方シート２５は、上述のように、前方シート２０に接合され、収容部２１の開口２３を塞ぐシートである。後方シート２５は、例えば接着剤を用いて前方シート２０のフランジ部２２に接合され、収容部２１から物品１００が抜け落ちないように収容部２１の開口２３を閉じる。以下では、後方シート２５のうち、収容部２１の開口２３に対応する部分、即ち開口２３上に張り出して開口２３を塞ぐ部分を蓋部２６という。本実施形態では、後方シート２５が前方シート２０より一回り大きく、本体部１１の一部は後方シート２５のみで構成されている。また、舌片部１２の全体が後方シート２５のみで構成されている。
【００２８】
後方シート２５は、前方シート２０と同様のプラスチックシートであってもよいが、好ましくは板紙等の台紙から構成される。後方シート２５の厚みは、例えば前方シート２０よりも厚く、０．２ｍｍ〜１．５ｍｍ程度であり、好ましくは０．５ｍｍ〜１．０ｍｍである。商品名、製造者名、商品説明、使用方法、キャッチコピー、イラスト等の印刷は、一般的に後方シート２５に設けられる。特に、消費者の購買意欲を刺激する自他商品識別表示・宣伝広告表示は、後方シート２５の前面に形成される。なお、前方シート２０に当該印刷が設けられていてもよい。
【００２９】
後方シート２５には、上下方向に沿って、本体部１１と舌片部１２の境界線である折り目線１３が形成される。折り目線１３は、後方シート２５の上下方向全長にわたって真っ直ぐに形成されている。折り目線１３は、舌片部１２の後方への折り曲げを補助するものであって、例えば押し罫線やミシン目線、ハーフカット線である。折り目線１３を形成することで、舌片部１２は折り目線１３を中心として折り曲げやすくなる。
【００３０】
後方シート２５は、上述の通り、開封部３０と、張り出し部３５とを有する。これらは収容部２１の開口２３を塞ぐ蓋部２６に設けられるが、開封部３０は蓋部２６の範囲を超えて設けられてもよい。張り出し部３５は、開口２３上に張り出した部分であるから蓋部２６の範囲のみに存在する。
【００３１】
開封部３０は、環状に形成された切断補助線３２に囲まれた部分であって、開封時に切除される部分である。開封部３０は、開封前において、蓋部２６の一部として収容部２１の開口２３の横方向一方側（以下、「右側」という場合がある）を塞いでいる。切断補助線３２に沿って後方シート２５の一部（開封部３０）が包装体１０から切り離されると、開口２３の右側部分が開放されることになる。切断補助線３２は、例えば複数の切断線を間欠的に形成して構成されるが、ミシン目線やハーフカット線であってもよい。
【００３２】
開封部３０は、蓋部２６の右側において蓋部２６の略半分程度の範囲に形成されている。開封部３０は、横方向よりも上下方向に長く形成され、切込み形成予定部３１と凸状部３６が設けられる部分以外は略一定の横方向長さを有する。切断補助線３２の上下方向に形成される部分のうち、開封部３０と張り出し部３５との境界線となる部分は、本体部１１の上下方向中央部で舌片部１２側に突出している。かかる切断補助線３２の突出により、凸状部３６が形成され、凸状部３６が形成される分、本体部１１の上下方向中央部で開封部３０の横方向長さが短くなる。
【００３３】
開封部３０の上部は、蓋部２６の横方向他方側（以下、「左側」という場合がある）に広がっている。切込み予定部３１は、開口２３の上端２３ａと張り出し部３５との間に形成される。開封部３０のうち、張り出し部３５の凸状部３６以外の部分の横方向一端である先端３５ｃ（右端）に沿って上下方向に延びる仮想線αより左側に位置する部分が切込み形成予定部３１である。なお、張り出し部３５の舌片部１２側に突出した、仮想線αより右側に位置する部分が凸状部３６である。
【００３４】
張り出し部３５は、蓋部２６の開封部３０以外の部分であって、開封後においても開口２３の左側を塞いでいる。張り出し部３５の形状は、開封の有無により変化しない。張り出し部３５は、開口２３の左端２３ｄから開口２３上に張り出し、蓋部２６の左側において蓋部２６の略半分程度の範囲に形成されている。
【００３５】
本実施形態では、張り出し部３５が開口２３の上端２３ａまで形成されず、張り出し部３５の上端３５ａと開口２３の上端２３ａとの間には切込み形成予定部３１が形成されている。他方、張り出し部３５の下部は開口２３の下端２３ｂまで形成されている。つまり、切込み形成予定部３１は、開封部３０の上端部のみに、即ち開口２３の上端２３ａと張り出し部３５との間のみに形成されている。切込み形成予定部３１は、物品１００の取り出し性を向上させるために、収容部２１の傾斜面（上端面２１ａ）と重なる位置に形成されることが好ましい。
【００３６】
凸状部３６は、上述のように、再封時に後方に折り曲げられる舌片部１２に係合して再封状態を維持する。凸状部３６は、蓋部２６の上下方向中央部において、やや切込み形成予定部３１側に形成されている。凸状部３６は、例えば背面視略台形形状を有するが、凸状部３６の形状は他の形状であってもよく、切断補助線３２の形状を変更することで変更できる。張り出し部３５の凸状部３６を除く部分及び舌片部１２の横方向長さは特に限定されないが、それぞれの先端同士が接触しない長さであることが好ましく、舌片部１２は凸状部３６のみに接触する。
【００３７】
以下、図４を参照しながら、蓋部２６の上部の構成について、さらに詳説する。図４は、図２において包装体１０の上部を拡大して示す図である。図４では、収容部２１の開口２３の端（上端２３ａ、右端２３ｃ、左端２３ｄ）を破線で示している。
【００３８】
図４〜図６に例示するように、開封部３０は、開口２３の上端２３ａ及び右端２３ｃを超えて蓋部２６の範囲よりやや広く形成されている。開封部３０の一部は前方シート２０のフランジ部２２にかかる範囲に形成されているが、開封時に開封部３０を切除し易くするため、開封部３０はフランジ部２２に接合されていないことが好ましい。なお、開封部３０を囲む切断補助線３２は、上端２３ａ及び右端２３ｃと一致するように形成されてもよく、蓋部２６の範囲内に形成されてもよい。
【００３９】
切込み形成予定部３１は、後方シート２５の上縁部２７と、張り出し部３５の上端３５ａとの間に形成されている。ここで、上縁部２７とは、後方シート２５のうち、開口２３の上端２３ａから上に延びるフランジ部２２と重なる部分を意味する。包装体１０の開封により切込み形成予定部３１に形成される切込み５１（後述の図６等参照）は、上縁部２７と張り出し部３５を分離し、張り出し部３５の上部を前方に撓み易くする。
【００４０】
なお、張り出し部３５は、後方シート２５の左側縁部２８、及び後方シート２５の下縁部（図４では図示せず）とつながっている。ここで、後方シート２５の左側縁部２８とは、開口２３の左端２３ｄから左に延びるフランジ部２２と重なる部分、後方シート２５の下縁部とは、開口２３の下端２３ｂから下に延びるフランジ部２２と重なる部分をそれぞれ意味する。
【００４１】
切込み形成予定部３１は、上下方向よりも横方向に長く形成される。切込み形成予定部３１の横方向長さＬ31は、張り出し部３５の横方向長さの５０％以上、特に張り出し部３５の凸状部３６を除く部分の横方向長さＬ35の５０％以上であることが好ましい。即ち、切込み形成予定部３１は、仮想線αから横方向長さＬ35の半分を超えて開口２３の左端２３ｄ側に形成されることが好ましい。本実施形態では、切込み形成予定部３１の先端３１ｄが、開口２３の左端２３ｄに達している。この場合、切込み形成予定部３１に形成される切込み５１によって、張り出し部３５の上端３５ａと後方シート２５の上縁部２７とが完全に分離される。切込み形成予定部３１は、先端３１ｄが開口２３の左端２３ｄを超え、張り出し部３５よりも横方向に長く形成されていてもよい。
【００４２】
切込み形成予定部３１（切込み５１）は、横方向に延びるスリット状に形成されてもよいが、例えば再封／再開封操作時に上縁部２７と張り出し部３５の干渉を防止して操作性を向上させるべく、上下方向にも所定の長さ（幅）を有することが好ましい。切込み形成予定部３１の幅Ｗ31は、例えば蓋部２６の上下方向長さの１％〜１０％である。切込み形成予定部３１は、先端３１ｄ側よりも付け根側（仮想線α側）で幅Ｗ31が広がっていてもよい。図４に示す例では、張り出し部３５の先端３５ｃに近づくほど上端３５ａが下がると共に、張り出し部３５の右上角部が面取りされている。切込み形成予定部３１は、仮想線α側に向かって次第に幅が広くなっている。この場合、切込み形成予定部３１に形成される切込み５１が開口２３の横方向中央部に向かって次第に拡幅するため、例えば収容部２１から物品１００を取り出し易くなる。
【００４３】
張り出し部３５の横方向長さ、特に張り出し部３５の凸状部３６を除く部分の横方向長さＬ35は、開口２３の横方向長さＬ23の４０％〜６０％であることが好ましい。換言すると、開封部３０の切込み形成予定部３１及び凸状部３６に対応する部分を除く部分の横方向長さＬ30は、開口２３の横方向長さＬ23の４０％〜６０％であることが好ましい。開封部３０及び張り出し部３５の横方向長さＬ30，Ｌ35を当該範囲内に設定することで、収容部２１からの物品１００の良好な取り出し性を確保しながら、舌片部１２による収容部２１の再封を容易に行うことができる。なお、開口２３の横方向長さは蓋部２６の横方向長さと読み替えることができる。横方向長さＬ30，Ｌ35は、互いに略同一であってもよい。凸状部３６の横方向長さは、舌片部１２をしっかり押えることができ、かつ再封／再開封操作に支障がない長さに設定され、例えば横方向長さＬ35の３％〜３０％とし、好ましくは５％〜２０％とする。
【００４４】
図５は、蓋部２６の上部に切込み形成予定部３１を形成し、蓋部２６の下部に短尺切込み形成予定部３３を形成した例を示す図である。図５に例示するように、短尺切込み形成予定部３３は、切込み形成予定部３１よりも横方向長さが短く、開口２３の下端２３ｂと張り出し部３５との間に形成される。なお、短尺切込み形成予定部３３の横方向長さＬ33が長くなり過ぎると、張り出し部３５が押されたときの復元力が低下して再封性が悪くなるため、切込み形成予定部３３の横方向長さＬ33は、張り出し部３５の凸状部３６を除く部分の横方向長さＬ35の５０％未満とすることが好ましい。この場合、張り出し部３５に適度なバネ性を付与することができ、良好な再封性及び再開封性が確保される。
【００４５】
図６に示されるように本実施形態では、舌片部１２を折り目線１３で後方に折り曲げた状態で、舌片部１２が張り出し部３５の凸状部３６と係合するように、舌片部１２及び張り出し部３５（凸状部３６）の横方向長さを設定する。開封部３０の横方向一端（右端）から折り目線１３までは離れているため、舌片部１２の横方向長さＬ12は、例えば開封部３０の横方向長さＬ30に開封部３０の右端から折り目線１３までの長さを足した長さＬｔとされる。舌片部１２が凸状部３６のみに接触し、張り出し部３５の他の部分とは接触しないようにするためには、舌片部１２の横方向長さＬ12を、長さＬｔより短く、長さＬｔから凸状部３６の横方向長さを引いた長さよりも長くする。好ましくは、長さＬｔよりもやや短くする。
【００４６】
以下、図６〜図９を参照しながら、上記構成を備えた包装体１０の開封形態、再封形態、及び使用方法（再封／再開封）について詳説する。図６は包装体１０の開封形態を示す背面図、図７は包装体１０の再封形態を示す背面図である。図８は、舌片部をヘッダー部とした形態を示す背面図である。図９Ａ〜図９Ｃは、包装体１０を再開封する様子を示す図である。
【００４７】
図６に示すように、包装体１０は、蓋部２６の一部を構成する開封部３０を切除することにより開封される。切断補助線３２に沿って後方シート２５を切断し、包装体１０から開封部３０を切除すると、収容部２１の開口２３の一部が開放され、収容部２１から物品１００を取り出すことが可能となる。以下では、包装体１０の開封により包装体１０の後方に形成される、開放された開口２３の一部を開口５０という。さらに、開封により切込み形成予定部３１に切込み５１が形成される。
【００４８】
図７に示すように、包装体１０は、折り目線１３で後方に折り曲げられた舌片部１２によって開口５０を塞いで収容部２１を再封することができる。舌片部１２は、上述の通り、開口５０の切込み５１を除く部分を覆うことが可能な大きさを有する。本実施形態では、開口５０の切込み５１以外の部分の略全域が舌片部１２で覆われる。切込み５１は舌片部１２で覆われないが、切込み５１の横方向長さは物品１００の横方向長さよりも短いため、切込み５１から物品１００が抜け落ちることはない。
【００４９】
包装体１０では、舌片部１２の縁部に張り出し部３５の凸状部３６が係合することで、舌片部１２により開口５０が塞がれた再封形態が維持される。凸状部３６に係合する舌片部１２の縁部は、凸状部３６よりも前方に位置し、凸状部３６によって後方から押えられている。なお、本実施形態では、舌片部１２が凸状部３６のみに接触し、張り出し部３５の他の部分とは干渉しないように、舌片部１２の先端と張り出し部３５の先端３５ｃの間には小さな隙間が形成されていてもよい。
【００５０】
本実施形態においては、舌片部１２が本体部１１の幅方向に延設されている。従って、舌片部１２の前面に商品説明、使用方法等の印刷が設けられている場合、包装体１０の再封形態において当該印刷を後方から視認することができる。包装体１０は、開封後も吊り下げ孔１４を鉛直上方に向けた状態で使用され、また収容部２１を再封する際には舌片部１２が上下方向に沿った折り目線１３で折り曲げられるため、舌片部１２の印刷は包装体１０の後方から開封前と同じように視認できる。つまり、図１及び図４に例示するように、「ＡＢＣＤ」の文字の印刷は再封形態においても逆さまにならず読み易い。
【００５１】
図８（ａ）は、舌片部をヘッダー部とした例を示す図であって、図８（ｂ）にこの再封形態を示している。図８（ａ）に例示する形態の場合、本体部１１Ｘと舌片部１２Ｘが上下方向に並ぶように、商品棚、吊り下げフック等に陳列される。舌片部１２Ｘは、本体部１１Ｘの上方に位置する所謂ヘッダー部であり、舌片部１２Ｘの上部に吊り下げ孔１４が形成されている。本体部１１Ｘ及び舌片部１２Ｘは、いずれも上下方向よりも横方向に長い略矩形形状を有しているが、これらの形状は後方シート２５Ｘの形状を変更することで適宜変更できる。本体部１１Ｘと舌片部１２Ｘの境界には折り目線１３が形成されており、本体部１１Ｘには切込み形成予定部３１を含む開封部３０と凸状部３６を含む張り出し部３５が設けられている。このため、図８（ｂ）に示すように、開封後において、舌片部１２Ｘを折り目線１３で後方に折り曲げることで、開口５０を舌片部１２Ｘで塞いで収容部２１を再封することができる。但し、この場合は、舌片部１２Ｘが横方向に沿った折り目線１３で折り曲げられることになるため、舌片部１２Ｘの前面に設けられた文字は再封形態で逆さまになる。
【００５２】
図９Ａ〜図９Ｃでは、左手で包装体１０を再開封して収容部２１から物品１００を取り出す様子を示している。図９Ａ及び図９Ｂに示すように、包装体１０では、張り出し部３５の凸状部３６の近傍を前方に押すという簡単な操作で、凸状部３６による舌片部１２の係合状態を解除でき収容部２１が再開封される。包装体１０は、後方シート２５の上縁部２７と張り出し部３５の上端２３ａとを分離する切込み５１を有するため、凸状部３６とつながる張り出し部３５が前方に撓み易く、例えば小さな力で張り出し部３５の上部を大きく撓ませることができる。このため、左手で本体部１１を保持しながら右手で舌片部１２を引っ張り上げるような操作は不要であり、本体部１１を保持する左手で張り出し部３５を軽く押すだけで容易に再開封することが可能である。
【００５３】
図９Ｃに示すように、包装体１０では、収容部２１から物品１００を取り出すところまで、本体部１１を保持する左手のみで行うことができる。再開封により開口５０が開放されると、例えば左手の親指を収容部２１内に挿入することが可能となる。そして、収容部２１に挿入した親指で物品１００を上方に押し上げることで、物品１００を容易に取り出すことができる。収容部２１の上端面２１ａは傾斜面であるため、物品１００を傾斜面に沿って滑らせて収容部２１から取り出すことができる。この場合、物品１００の一部は切込み５１を通って取り出される。その後、既に折り曲げられている舌片部１２を凸状部３６に押し当てるように前方に押すと、収容部２１を容易に再封できる。
【００５４】
包装体１０では、蓋部２６の上端部に切込み５１が形成され、蓋部２６の下端部で張り出し部３５と開口２３の周囲に位置する部分（下縁部）とが連接した構造とすることによって、適度なバネ性（復元力）を張り出し部３５に付与し、再封性／再開封性を向上させている。張り出し部３５が適度なバネ性を有する場合、凸状部３６が舌片部１２に押されて張り出し部３５がある程度撓むと、張り出し部３５が元の形状に戻ろうとする復元力により舌片部１２の押圧力に反して凸状部３６が後方に移動しようとする。このため、凸状部３６がいつまでも舌片部１２に押されて収容部２１内に入り込むのではなく、張り出し部３５がある程度撓んだときに、凸状部３６が後方に跳ね上がって舌片部１２の後方に移動する。つまり、舌片部１２を大きく押さなくても舌片部１２が凸状部３６に係合し易くなる。
【００５５】
以上のように、上記構成を備えた包装体１０は、再封／再開封操作が容易で、使い勝手が良い。なお、上記実施形態は、かかる作用効果を損なわない範囲で適宜設計変更が可能である。図１０〜図１４に、実施形態の他の一例である包装体１０Ａ，１０Ｂ，１０Ｃ，１０Ｄを示す。
【００５６】
図１０に例示する包装体１０Ａは、舌片部１２Ａが前方シート２０Ａ及び後方シート２５の両方で構成されている点で、舌片部１２が後方シート２５のみで構成される包装体１０と異なる。本体部１１Ａ及び舌片部１２Ａの全体が２枚のシートで構成されており、折り目線１３Ａ及び吊り下げ孔１４Ａは各シートに形成されている。
【００５７】
図１１に例示する包装体１０Ｂは、舌片部１２Ｂが前方シート２０Ａのみで構成されている点で、舌片部１２Ａが前方シート２０Ａと後方シート２５の両方で構成される包装体１０Ａと異なる。包装体１０Ｂでは、、本体部１１Ａの一端から前方シート２０Ａのみが延設されている。この場合、折り目線１３Ｂが前方シート２０Ｂに形成される。
【００５８】
図１２は包装体１０Ｃの背面図、図１３は包装体１０Ｃの再封形態を示す図である。図１２に例示する包装体１０Ｃは、開封部３０Ｃの上端部に形成された切込み形成予定部３１を有する点で、包装体１０Ａと共通する。一方、張り出し部３５Ｃが、蓋部２６Ｃの下端部において、開封状態において折り曲げられた舌片部１２と重なるように設けられている点で、包装体１０Ａと異なる。張り出し部３５Ｃの下部は、凸状部３６よりも舌片部１２側に張り出し、蓋部２６Ｃの下端に近づくほど次第に横方向長さが長くなるように形成されている。切断補助線３２Ｃの開封部３０Ｃと張り出し部３５Ｃとの境界線となる部分は、凸状部３６のやや下方から後方シート２５Ｃ（本体部１１Ｃ）の下端にわたって形成され、後方シート２５Ｃの下端に近づくにつれて舌片部１２に近づくように傾斜している。切断補助線３２Ｃは、直線状に傾斜しているが、例えば下方に凸となるように湾曲していてもよい。
【００５９】
包装体１０Ｃでは、上述のように、後方シート２５Ｃの下端に近づくほど張り出し部３５Ｃの横方向長さが長くなり、開封部３０Ｃの横方向長さが短くなっている。図１３に示すように、この場合も、再封状態において舌片部１２は凸状部３６のみと係合する。折り目線１３で後方に折り曲げられた舌片部１２は、張り出し部３５Ｃの下部と係合せず、張り出し部３５Ｃの下部の後方に重なっている。包装体１０Ｃによれば、切込み形成予定部３１に形成される切込み５１と、蓋部２６Ｃの下端に近づくほど次第に横方向長さが長くなるように形成された張り出し部３５Ｃの下部とによって、例えば、より適切なバネ性が張り出し部３５Ｃに付与され、再封性／再開封性がさらに向上する。
【００６０】
図１４は、包装体１０Ｄの再封形態を示す図である。図１４に例示する包装体１０Ｄは、蓋部２６Ｄの上部に切込み５１Ｄが形成され、蓋部２６Ｄの下部に短尺切込み５３Ｄが形成される点で、図５に例示する包装体と共通する。一方、包装体１０Ｄの張り出し部３５Ｄには局所的に突出した凸状部３６が存在せず、再封形態において、上下方向に沿った張り出し部３５Ｄの横方向一端部及びその近傍が舌片部１２と係合する。この場合も、上述の各包装体と同様の方法で再封性／再開封性が可能である。
【符号の説明】
【００６１】
１０  包装体、１１  本体部、１２  舌片部、１３  折り目線、１４  吊り下げ孔、１５  切欠き、２０  前方シート、２１  収容部、２１ａ  上端面、２１ｃ，２１ｄ  側面、２１ｓ  前面、２２  フランジ部、２３  開口、２３ａ  上端、２３ｂ  下端、２３ｃ  右端、２３ｄ  左端、２４  脚部、２５  後方シート、２６  蓋部、２７  上縁部、２８  左縁部、３０  開封部、３１  切込み形成予定部、３１ｄ  先端、３２  切断補助線、３３  短尺切込み形成予定部、３５  張り出し部、３５ａ  上端、３５ｂ  下端、３５ｃ  先端、３６  凸状部、５０  開口、５１  切込み、５１ｄ  先端、１００  物品、α  仮想線
【図１】
2018034834.tif 000003
【図２】
2018034834.tif 000004
【図３】
2018034834.tif 000005
【図４】
2018034834.tif 000006
【図５】
2018034834.tif 000007
【図６】
2018034834.tif 000008
【図７】
2018034834.tif 000009
【図８】
2018034834.tif 000010
【図９Ａ】
2018034834.tif 000011
【図９Ｂ】
2018034834.tif 000012
【図９Ｃ】
2018034834.tif 000013
【図１０】
2018034834.tif 000014
【図１１】
2018034834.tif 000015
【図１２】
2018034834.tif 000016
【図１３】
2018034834.tif 000017
【図１４】
2018034834.tif 000018